(57)【特許請求の範囲】
【請求項１】
モータに電源を供給するためのスイッチとして機能する直列２連のメイン接点を構成する固定接点及び該固定接点に連設した摺動板部と、
操作部に連動して動くアクチュエータに備えた可動接点及び前記摺動板部上を摺動する補助接点部と、
前記操作部を引き込むことで、前記アクチュエータが順方向に動いて前記固定接点に前記可動接点が電気的に接触して前記モータに電源を供給すると同時に前記補助接点部が前記摺動板部上を跨ぐようにして電気的に接触させて、前記固定接点と前記可動接点との接触に電位を持たせないようにし、
前記操作部を引き離すことで、前記アクチュエータが逆方向に動いて前記固定接点と前記可動接点との接触状態を離反させると同時に、前記摺動板部上に跨いでいる補助接点部が動いて前記摺動板部との接触を離すと共に、前記補助接点部に備えた可動接点が前記モータを短絡状態にする固定接点に接触することを特徴とするトリガースイッチ。
【請求項２】
開口面を有すると共に箱状に形成されたケース内に同一方向を向いて配置された直列２連のメイン接点を形成する一対の固定接点と、
前記一対の固定接点と接触／離反する一対の可動接点及び該一対の可動接点を後方から押圧する押圧バネを有するアクチュエータと、
前記アクチュエータを駆動する回動自在な反転部材と、
前記反転部材に一端が接続され他端がプランジャーに係合するコイル状の反転ポイントを持つ反転バネと、
前記プランジャーを動かす操作部とを有し、
前記操作部を押圧／解除することにより、前記一対の可動接点を前記一対の固定接点に接触／離反させて前記直列２連のメイン接点をオン／オフとするバネ反転型スイッチにおいて、
前記直列２連のメイン接点をオンする際に、前記反転ポイント前に前記アクチュエータを一定量動かして接点間隔を縮めておきその後、前記反転部材が反転することにより前記一対の可動接点を前記一対の固定接点に接触させると同時に、前記アクチュエータに備えた一対の補助接点が前記一対の固定接点のうちの一方の固定接点と連設している摺動板部と他方の固定接点と連設している摺動板部とを跨ぐようにして電気的に接触させ、
前記直列２連のメイン接点をオフする際に、前記反転ポイント前に前記アクチュエータの動きを制止しておき、その後反転ポイント後に前記アクチュエータの制止を解除することにより前記一対の可動接点を前記一対の固定接点から離反すると同時に、前記アクチュエータに備えてある一対の補助接点が前記一対の固定接点のうち一方の固定接点と連設されている摺動板部と他方の固定接点と連設されている摺動板部とを跨ぐようにして電気的に接触させた状態から外すと共に、補助接点部に設けてある可動接点が前記一対の固定接点と対向する反対側に配置されている固定接点に接触して電気的に接続した状態を得ることによりモータを短絡状態にすることを特徴とするトリガースイッチ。
【請求項３】
前記反転部材に形成されたピニオンと、前記アクチュエータに形成されたラックとを備えること
を特徴とする請求項２に記載のトリガースイッチ。
【請求項４】
前記プランジャーに設けられた突起と、前記反転部材に設けられた突起とを備え、前記操作部を押圧した時前記プランジャーの突起が前記反転部材の突起を押圧して前記反転バネの力に抗して前記反転部材を回動させることにより前記アクチュエータを動かし前記可動接点を固定接点に接近させること
を特徴とする請求項２に記載のトリガースイッチ。
【請求項５】
前記プランジャーの先端部の下面に設けられたゆるやかな段差を持つ段差面と、該段差面と常に当接するストッパ部材と、該ストッパ部材に設けられた鉤部と、該ストッパ部材を上方に付勢するストッパバネと、前記アクチュエータに設けられた突起とを備え、前記ストッパ部材は前記プランジャーの段差面に沿って動くことにより前記ストッパ部材の鉤部と該アクチュエータの突起との係合状態を施錠状態又は開放状態に置くこと
を特徴とする請求項２に記載のトリガースイッチ。
【請求項６】
スイッチオンの時、前記ストッパ部材は上昇しており、前記アクチュエータの突起は前記ストッパ部材の鉤部の上を乗り越えて進み可動接点と固定接点とを接触させ、その時、前記鉤部と前記アクチュエータの突起との係合状態は施錠状態となること
を特徴とする請求項５に記載のトリガースイッチ。
【請求項７】
前記施錠状態において、操作部をスイッチオフの方向に動かし前記プランジャーを動かし、前記反転バネの反転ポイントを越えても前記プランジャーの先端部の下面の形状によりしばらく解放状態にならず、更に前記反転バネが反転ポイントを越えて操作部をスイッチのオフ方向に動かした時、前記プランジャーの先端部の下面によりストッパ部材は下降し前記ロック手段は解放状態となり、その結果、前記アクチュエータは即座に移動し、可動接点は固定接点から瞬時に離れスイッチオフとなること
を特徴とする請求項２に記載のトリガースイッチ。
【発明の詳細な説明】
【技術分野】
【０００１】
本発明は電動工具に搭載されているトリガースイッチに関するものであり、詳しくはＡＣ及びＤＣ大電流用に適したバネ反転型スイッチの接触機構を備えたトリガースイッチに関する。
【背景技術】
【０００２】
従来の電動工具に採用されているブレーキ接点付トリガースイッチは、図１８に示すように、モータＭに直列に接続した交流電源ＡＣ及びスイッチを介在させた構成となっており、このスイッチは図示しないが電動工具に設けてある操作部の引き込み具合によって、固定接点Ｔ１に可動接点Ｍが接触してメイン接点が導通状態となり、モータＭに電源が供給され、回転する。操作部の引き込み具合をやめるとメイン接点の導通状態が解除され、替わりに固定接点Ｔ２に可動接点Ｍが接触してブレーキ接点が導通状態となることでモータＭへの導通を短絡状態にしてブレーキをかける。
このように、２極の固定接点Ｔ１、Ｔ２と可動接点Ｍを使用して、１極はモータＭへの電源供給に使用される、所謂、メイン接点として使用され、もう1つの１極はモータＭへの電源を供給していないときにモータＭを短絡状態にしてブレーキをかける、所謂、ブレーキ接点として使用される
【０００３】
【特許文献１】特開２００３−１６２９３０号公報（第５頁〜８頁  第５図）
【発明の開示】
【発明が解決しようとする課題】
【０００４】
しかしながら、従来技術で説明したスイッチは、ＡＣ及びＤＣの大電流用に適するような構造となっているが、２極の接点のうち、1つをメイン接点として使用し、もう1つの接点をブレーキ接点として使用するため、メイン接点は、所謂、単一での接点構造となり、絶縁性及び寿命上劣るという問題がある。
従って、複数のメイン接点を維持し、且つ補助接点機構を採用したスイッチ機構においては補助接点機構の接点構造をうまく利用してブレーキ接点を設けることに解決しなければならない課題を有する。
【課題を解決するための手段】
【０００５】
上記課題を解決するために、本願発明のトリガースイッチは、次に示す構成にすることである。
【０００６】
（１）トリガースイッチは、モータに電源を供給するためのスイッチとして機能する直列２連のメイン接点を構成する固定接点及び該固定接点に連設した摺動板部と、
操作部に連動して動くアクチュエータに備えた可動接点及び前記摺動板部上を摺動する補助接点部と、
前記操作部を引き込むことで、前記アクチュエータが順方向に動いて前記固定接点に前記可動接点が電気的に接触して前記モータに電源を供給すると同時に前記補助接点部が前記摺動板部上を跨ぐようにして電気的に接触させて、前記固定接点と前記可動接点との接触に電位を持たせないようにし、
前記操作部を引き離すことで、前記アクチュエータが逆方向に動いて前記固定接点と前記可動接点との接触状態を離反させると同時に、前記摺動板部上に跨いでいる補助接点部が動いて前記摺動板部との接触を離すと共に、前記補助接点部に備えた可動接点が前記モータを短絡状態にする固定接点に接触することである。
【０００７】
（２）トリガースイッチは、開口面を有すると共に箱状に形成されたケース内に同一方向を向いて配置された直列２連のメイン接点を形成する一対の固定接点と、
前記一対の固定接点と接触／離反する一対の可動接点及び該一対の可動接点を後方から押圧する押圧バネを有するアクチュエータと、
前記アクチュエータを駆動する回動自在な反転部材と、
前記反転部材に一端が接続され他端がプランジャーに係合するコイル状の反転ポイントを持つ反転バネと、
前記プランジャーを動かす操作部とを有し、
前記操作部を押圧／解除することにより、前記一対の可動接点を前記一対の固定接点に接触／離反させて前記直列２連のメイン接点をオン／オフとするバネ反転型スイッチにおいて、
前記直列２連のメイン接点をオンする際に、前記反転ポイント前に前記アクチュエータを一定量動かして接点間隔を縮めておきその後、前記反転部材が反転することにより前記一対の可動接点を前記一対の固定接点に接触させると同時に、前記アクチュエータに備えた一対の補助接点が前記一対の固定接点のうちの一方の固定接点と連設している摺動板部と他方の固定接点と連設している摺動板部とを跨ぐようにして電気的に接触させ、
前記直列２連のメイン接点をオフする際に、前記反転ポイント前に前記アクチュエータの動きを制止しておき、その後反転ポイント後に前記アクチュエータの制止を解除することにより前記一対の可動接点を前記一対の固定接点から離反すると同時に、前記アクチュエータに備えてある一対の補助接点が前記一対の固定接点のうち一方の固定接点と連設されている摺動板部と他方の固定接点と連設されている摺動板部とを跨ぐようにして電気的に接触させた状態から外すと共に、補助接点部に設けてある可動接点が前記一対の固定接点と対向する反対側に配置されている固定接点に接触して電気的に接続した状態を得ることによりモータを短絡状態にすることである。
（３）前記反転部材に形成されたピニオンと、前記アクチュエータに形成されたラックとを備えること
を特徴とする（２）に記載のトリガースイッチ。
（４）前記プランジャーに設けられた突起と、前記反転部材に設けられた突起とを備え、前記操作部を押圧した時前記プランジャーの突起が前記反転部材の突起を押圧して前記反転バネの力に抗して前記反転部材を回動させることにより前記アクチュエータを動かし前記可動接点を固定接点に接近させること
を特徴とする（２）に記載のトリガースイッチ。
（５）前記プランジャーの先端部の下面に設けられたゆるやかな段差を持つ段差面と、該段差面と常に当接するストッパ部材と、該ストッパ部材に設けられた鉤部と、該ストッパ部材を上方に付勢するストッパバネと、前記アクチュエータに設けられた突起とを備え、前記ストッパ部材は前記プランジャーの段差面に沿って動くことにより前記ストッパ部材の鉤部と該アクチュエータの突起との係合状態を施錠状態又は開放状態に置くこと
を特徴とする（２）に記載のトリガースイッチ。
（６）スイッチオンの時、前記ストッパ部材は上昇しており、前記アクチュエータの突起は前記ストッパ部材の鉤部の上を乗り越えて進み可動接点と固定接点とを接触させ、その時、前記鉤部と前記アクチュエータの突起との係合状態は施錠状態となること
を特徴とする（５）に記載のトリガースイッチ。
（７）前記施錠状態において、操作部をスイッチオフの方向に動かし前記プランジャーを動かし、前記反転バネの反転ポイントを越えても前記プランジャーの先端部の下面の形状によりしばらく解放状態にならず、更に前記反転バネが反転ポイントを越えて操作部をスイッチのオフ方向に動かした時、前記プランジャーの先端部の下面によりストッパ部材は下降し前記ロック手段は解放状態となり、その結果、前記アクチュエータは即座に移動し、可動接点は固定接点から瞬時に離れスイッチオフとなること
を特徴とする（２）に記載のトリガースイッチ。
【発明の効果】
【０００８】
本発明のトリガースイッチは、バネ反転型の速入速断機能を活用して、スイッチオン時にはバネの反転ポイント前に可動接点を固定接点に十分接近させておき反転ポイント後に速入するタイミングに合わせて、一対の固定接点に連設している摺動板部を補助接点が導通状態にすることで、補助接点は電位のない状態で導通状態にすることができ、これで可動接点と固定接点間の接点状態に変化が生じても、この補助接点で良好に接点状態を維持することができるため、結果として固定接点と可動接点との接点状態を良好に維持することができる。
加えて、補助接点に補助可動接点を備え、モータを短絡状態にする補助固定接点に操作部を引き離したときに、補助可動接点を接触させるようにして、モータにブレーキをかけるようにしたことで、直列２連のメイン接点を２極で使用することが可能で、その分高容量、高寿命のスイッチにすることができる。
【発明を実施するための最良の形態】
【０００９】
本願発明に係るトリガースイッチの実施形態について、図面を参照して説明する。
尚、説明において図面に向かって左側をスイッチの前、右側をスイッチの後ろとする。
【実施例１】
【００１０】
本願発明のトリガースイッチ５０は、図１に示すように、手の握力で操作できる操作部５１と、操作部５１の内部に収容されている２個の復帰バネ５２と、操作部５１の操作状態を伝達する機構であるプランジャー５４を内部に収容してなるカバー５３と、操作部５１の操作状態をアクチュエータ６１に伝達するプランジャー５４と、反転部材５８を反転ガイドするガイド板５５と、反転バネ５７の両端に備える２枚のプレート５６ａ、５６ｂと、反転部材５８を操作部５１の操作状態に基づいて反転させる反転バネ５７と、アクチュエータ６１を回動方向と同一方向に直線移動させる反転部材５８と、アクチュエータ６１を可動接片６５ａ、６５ｂが接触した状態にしてロックするストッパ部材５９と、ストッパバネ６０と、反転部材５８の回動動作に基づいて回動方向と同一方向に直線移動するアクチュエータ６１と、外部と電気的に接続すると共に２個の固定接点６７Ａ、６７Ｂを備えた２つの第１、第２の端子６２Ａ、６２Ｂと、２個の固定接点６３Ａ、６３Ｂを備えた第３の端子６８Ａと、外部と電気的に接続する１個の固定接点９０ｊを備えた第４の端子６８Ｂと、可動接片６５ａ、６５ｂに２個づつ取り付けられ合計して４個の可動接点６４ａ、６４ｂと、可動接点６４ａ、６４ｂを備え接圧バネ６６ａ、６６ｂで常時付勢されている２個の可動接片６５ａ、６５ｂと、可動接片６５ａ、６５ｂを常時付勢した状態に維持する２個の接圧バネ６６ａ、６６ｂと、絶縁性部材で形成され上部開口の箱型形状に形成されたケース６９とを備えて構成されている。
【００１１】
上記各部品を図１に示す一点鎖線で示すように組み立てると、図２〜図６に示すようなスイッチが形成される。以下、図１、図２、図３を参照しながら、各部品の構成及び機能並びに各部品と他の部品との関係について説明する。
【００１２】
操作部５１はトリガースイッチ５０の使用者の手によって操作される部分であり、上から押圧すればスイッチオンとなり、離せばスイッチオフとなるようになっている。
【００１３】
この操作部５１は、手の形に彎曲した上面と、この上面と一体形成された左右側面及び前面と、開放された後面及び下面とからなり、全体として中空のケース状に形成されている。操作部５１の後部の左右側面には２つの穴５１ａが設けられており、カバー５３の最後部に設けられた突起５３ａと係合しこれにより操作部５１とカバー５３とを連結する。
【００１４】
また操作部５１の左右側面には、２つの軸受穴５１ｂが設けられており、ここには後述するプランジャー５４の回転軸５４ｅが回動自在に嵌合する。また操作部５１の両側面には使用の便宜上瓢箪形の貫通孔５１ｃが設けられている。更に、操作部５１の上板内側には復帰バネ５２の上端を保持するための２個の突起５１ｄ（図２参照）が設けられている。
【００１５】
２個のコイル状復帰バネ５２は、常時伸長方向に付勢されており、それらの上端は操作部５１の突起５１ｄ（図２参照）により固定され、それらの下端は後述するカバー５３の底部に設けられた２個の突起５３ｂ（図２参照）により固定されている。
【００１６】
カバー５３は、図１、図２〜図３に示すように、前半部と後半部とで機能が分かれている。後半部は図２及び図３に示すように、突起５３ｂにより復帰バネ５２の下端を保持するとともに、操作部５１の後端部と結合する機能を有する。
【００１７】
カバー５３の前半部はケース６９の蓋の役割を持ちプランジャー５４を覆っている。カバー５３の最前部に設けられた傾斜部５３ｄは、その内部でプランジャー５４の尖った先端部５４ｄが前後に動くための空間を形成している。
【００１８】
カバー５３の左右側板は、図１に示すように、ケース６９の左右の側板の外側に被せられ、２個の貫通孔５３ｅにケース６９の２個の爪６９ａが嵌合することによりカバー５３とケース６９とは結合するようになっている。
【００１９】
プランジャー５４は、図１、図２及び図３に示すように、棒部５４ａと、この棒部５４ａの後端に固定された後部ブロック５４ｂと、棒部５４ａの前端に固定された矩形の台状（下駄状）部材５４ｃと、この台状部材５４ｃの前部に一体成形された先端が尖ったほぼ三角形の先端部５４ｄと、台状部材５４ｃの後部において下方へ突き出た第１の突起５４ｇと、台状部材５４ｃの下面に取り付けられた金属製のガイド板５５の中央から下方へ突き出る突起５５ａ（図３参照）と、パッキン５４ｆとからなる。
【００２０】
後部ブロック５４ｂの左右側面には回転軸５４ｅ（図１参照）が形成されており、操作部５１の軸受穴５１ｂと嵌合している。操作部５１の回動運動は軸受穴５１ｂを通じて後部ブロック５４ｂに伝達される。棒部５４ａは後部ブロック５４ｂの前後方向の動作を台状部材５４ｃに伝達する。
【００２１】
先端部５４ｄは、台状部材５４ｃの左右方向中央部材から突き出た側面がほぼ鋭角三角形の板状部材であり、その上面を横から見た輪郭はカバー５３の傾斜部５３ｄの内面と合致するようになっている。先端部５４ｄの下面は段差のある２つの水平面とそれら２つの水平面を繋ぐ傾斜面とを有している。即ち、先端から中央部までの第１の水平面と、第１の水平面の終端から下方へ広がる直線的な第１の傾斜面と、第１の傾斜面の終端から続く第２の水平面と、第２の水平面の終端から上方へ狭まり台状部材５４ｃに至る第２の傾斜面とで形成されている。
【００２２】
先端部５４ｄの下面の上記形状は、後述するストッパ部材５９の先端（傾斜面５９ｂ）と常に当接しており、これによりストッパ部材５９の上下運動を支配する機能を有すると共に接点のオン／オフのタイミングと重大な関係を有する。
【００２３】
ガイド板５５に係合した突起５５ａはプレート５６ａと係合することにより反転バネ５７の上端と連結されている。
【００２４】
パッキン５４ｆは、棒部５４ａを通す中心穴を有し、カバー５３とケース６９の接合面に嵌め込まれプランジャー５４の前後方向の動きによるスイッチ内部への塵埃の侵入を防止する。
【００２５】
ガイド板５５は、プランジャー５４の台状部材５４ｃの下面の歯の間に嵌めこまれる矩形板であり、その中央に設けられた突起５５ａ（図３参照）の先端がプレート５６ａと係合している。
【００２６】
２個の円板状のプレート５６ａ、５６ｂのうちの上方のプレート５６ａは、中央に突起５５ａ（図３参照）よりやや大きい直径の窪みを有している。この窪みに突起５５ａの先端が当接することによりプレート５６ａは独楽のように自在に傾斜することができるようになっている。プランジャー５４の前後方向の動きは突起５５ａからプレート５６ａを通じて反転バネ５７の上端に伝達される。
【００２７】
２個の円板状のプレート５６ａ、５６ｂのうちの下方のプレート５６ｂは、その中央に反転部材５８に設けられた突起よりやや大きい直径の窪みを有している。この窪みに反転部材５８の突起の丸い先端を接することによりプレート５６ｂは独楽のように自在に傾斜することができるようになっている。
【００２８】
コイル状の反転バネ５７は、２個のプレート５６ａ、５６ｂ間に所定の圧力で挟設されており、プレート５６ａがプランジャー５４により動かされると前後方向に曲がりスプリング力を蓄積する。最もスプリング力を蓄積した状態を反転ポイントという。
【００２９】
反転部材５８は、カバー５３の左右方向内幅より小さい長さを有する矩形状の板を長さ方向と直角方向に円弧状に曲げて形成された湾曲板５８ａと、この湾曲板５８ａの内面にプレート５６ｂの直径よりやや大きな間隔で直設された左右２枚の隔板５８ｂと、湾曲板５８ａの中心部分の外面に沿って設けられた細長いピニオン５８ｃと、２枚の隔板５８ｂの各上端部に設けられた突起５８ｄとからなる。
【００３０】
２枚の隔板５８ｂは反転バネ５７を収容する。ピニオン５８ｃは後述するアクチュエータ６１のラック部６１ｃと噛合することにより、反転部材５８の回動をアクチュエータ６１の前後方向の直線運動に変換する機能を有する。突起５８ｄはカバー５３の上面内側に設けられた２つの穴と係合し、これにより反転部材５８の回転中心を形成している。
【００３１】
反転部材５８は、反転バネ５７により常に圧力を受けている。この圧力は、反転バネ５７の反転ポイントにおいて最も大きい。
【００３２】
ストッパ部材５９は、全体がＬ字形状に形成され、その垂直部分はケース６９の最前部の左右方向中央に設けられた垂直溝にスライド自在に嵌め込まれている。この垂直部の上端面には後方へ下がる傾斜面５９ｂが形成されている。この上端面はプランジャー５４の先端部５４ｄの上記下面と当接している。
【００３３】
ストッパ部材５９の水平部はケース６９の底面に平行に後方へ突き出している。水平部の先端部の上面には前から後へ下がる傾斜を持つ鉤部５９ａが一体成形されている。この鉤部５９ａはアクチュエータ６１のロック部８５（図５、図１４参照）と係合することになる。
【００３４】
ストッパバネ６０は、ストッパ部材５９の垂直部の下部に設けられた穴に収納され、常にストッパ部材５９を上方へ付勢する機能を有する。従って、ストッパ部材５９は、プランジャー５４が前後に動くと、先端部５４ｄの下面の形状に従って上下運動を行う。
【００３５】
即ち、例えば、図２に示すように、ストッパ部材５９の垂直部の上端がプランジャー５４の先端部５４ｄの下面の第２の水平面と当接している時はストッパ部材５９はストッパバネ６０に反して押下げられているが、先端部５４ｄが後方へ移動するにつれストッパバネ６０の伸長力により垂直部の先端は第１の傾斜面に沿って上昇する。そして、垂直部の上端が先端部５４ｄの第１の水平面に当接している間はストッパ部材５９は上方に止まる。
【００３６】
なお、上記先端部５４ｄの下面の水平面及び傾斜面の各長さは、ストッパ部材５９の鉤部５９ａとアクチュエータ６１のロック部８５との係合時間、即ち、スイッチオフ時の接点離反のタイミングを考慮して設計されている。
【００３７】
アクチュエータ６１は、図１、図４及び図５に示すように、反転部材５８のピニオン５８ｃと噛合する水平方向にラック８８を並べて形成されたラック部６１ｃと、ラック部６１ｃの左右両側に一体成形された２個の箱状のガイド部６１ａ、６１ｂと、この２個のガイド部６１ａ、６１ｂの各前端にそれぞれ取り付けられた可動接片６５ａ、６５ｂと、これら可動接片６５ａ、６５ｂの前面上下にそれぞれ取り付けられた左右２個づつ合計４個の可動接点６４ａ、６４ｂと、箱状のガイド部６１ａ、６１ｂの中に収容され可動接片６５ａ、６５ｂを後方から押圧する接圧バネ６６ａ、６６ｂと、ガイド部６１ａ、６１ｂの下部位置下面に一体成形された第１及び第２補助接点部８３Ａ、８３Ｂを補助バネ８４ａ、８４ｂのバネ圧で付勢した状態で係合する補助接点係合部６１ｄ、６１ｅを備えた構成になっている。
【００３８】
そして、このガイド部６１ａ、６１ｂの可動接片６５ａ、６５ｂを接圧バネ６６ａ、６６ｂの付勢力で常時付勢されて保持されている先端部分が先端係止部８９ａ、８９ｂであり、可動接片６５ａ、６５ｂの可動接点６４ａ、６４ｂが固定接点６３Ａ、（６３Ｂ）、６７Ａ（、６７Ｂ）（図１６参照）に接触してから更に押し込まれて接圧バネ６６ａ、６６ｂによる付勢力を強くしたときのストッパとしての機能を有する。
【００３９】
ラック部６１ｃの底面には、ストッパ部材５９の鉤部５９ａとロックするための片側傾斜した凸部で形成したロック部８５（図５参照）を設け、同じ底面でロック部８５と反対側の端部に係合凸部８６を設けた構造となっている。このロック部８５と係合凸部８６とで挟まれた底面には別部材のスライダー８７を取り付ける構造となっている。
【００４０】
第１補助接点部８３Ａは、導電性部材で略コ字型形状に形成され、コ字状の中央部位外面が接触片８３ｃとして機能し、そのコ字状の片方端部が補助接点係合部６１ｄに係合して抜止め係止される。抜止め係止された第１補助接点部８３Ａの内面に補助バネ８４ａを係合して、補助接点係合部６１ｄに片持ち状態で係合する構造となっている。
【００４１】
第２補助接点部８３Ｂは、第１補助接点部８３Ａよりも一回り大きな導電性部材で略コ字型形状に形成され、コ字状の中央部位外面が接触片８３ｄとして機能し、そのコ字状の片方端部が補助接点係合部６１ｅに係合して抜止め仮係止される。
抜止め仮係止された第２補助接点部８３Ｂの内面に補助バネ８４ｂを係合して、補助接点係合部６１ｅに片持ち状態で係合する構造となっている。片持ち状態の自由端部側の側面には可動接点８３ｅが設けられ、この可動接点８３ｅが、所謂、ブレーキ接点として機能し、操作部で引き込まれていないときには、第４の端子６８Ｂの固定接点９０ｊに接触して図示しないモータを短絡状態にしてブレーキをかける構成になっている。この点について、後述する。
【００４２】
上記構成からなるアクチュエータ６１は、ケース６９に前後方向に敷設されたアクチュエータガイドの上を反転部材５８に駆動され可動接点６４ａ、６４ｂを伴って前後方向に水平移動することによりスイッチの本来機能である接点切替機能を有する。即ち、アクチュエータ６１が前方向に移動すると可動接点６４ａ、６４ｂは後述する固定接点６３Ａ及び６７Ａ（６３Ｂ及び６７Ｂ）と接触し、後方向に移動すると可動接点６４ａ、６４ｂは固定接点６３Ａ及び６７Ａ（６３Ｂ及び６７Ｂ）から離れることになる。そして、この接点の移動に伴って、補助接点機構を構成する第１及び第２補助接点部８３Ａ、８３Ｂも摺動することで、補助接点摺動板部８１Ａと８２Ａ、８１Ｂと８２Ｂとを電気的に接続させることができるのである。この点についても後述する。
【００４３】
第１の端子６２Ａは、図６に示すように、導電性板部材の一端側を切り起こして形成した平板の中央部分に螺合孔８０ａを有する外部接続端子部９０ｂを備え、その外部接続端子部９０ｂを直角に折り曲げて形成された基部９０ｃ、この基部９０ｃの左側端部を更に直角に折り曲げて係合板部９０ｄを形成し、更にその折り曲げた係合板部９０ｄと連設する面を直角に折り曲げて固定接点６７Ａを備えた接点部９０ｅとし、係合板部９０ｄに連設した端部側を基部９０ｃと同じ方向に直角に折り曲げて補助接点摺動板部８２Ａを形成した構成となっている。
【００４４】
第２の端子６２Ｂは、第１の端子６２Ａと対称な形状になっており、導電性板部材の一端側を切り起こして形成した平板の中央部分に螺合孔８０ｂを有する外部接続端子部９０ｂを備え、その外部接続端子部９０ｂを直角に折り曲げて形成された基部９０ｃ、この基部９０ｃの右側端部を更に直角に折り曲げて係合板部９０ｄを形成し、更にその折り曲げた係合板部９０ｄと連設する面を直角に折り曲げて固定接点６７Ｂを備えた接点部９０ｅとし、係合板部９０ｄに連設した端部側を基部９０ｃと同じ方向に直角に折り曲げて補助接点摺動板部８２Ｂを形成した構成となっている。
【００４５】
第３の端子６８Ａは、導電性板部材を二股形状に形成し、二股形状の一方の平板部９０ｇ先端側を直角に折り曲げて固定接点６３Ａを備えた接点部９０ｅを形成し、他方の平板部９０ｈ先端側を直角に折り曲げて固定接点６３Ｂを備えた接点部９０ｆを形成し、平板部９０ｇに連設した基部側に補助接点摺動板部８１Ａを設け、平板部９０ｈ及び補助接点摺動板部８１Ａに連設して補助接点摺動板部８１Ａよりも幅広に形成した補助接点摺動板部８１Ｂを設けた構造となっている。補助接点摺動板部８１Ａ、８１Ｂの自由端部は面取り加工が施されており、補助接点が円滑に摺動できるように細工されている。
【００４６】
第４の端子６８Ｂは、導電性板部材を略四角形状に形成し、その中央底部から切り欠きをいれ、切り欠きを入れた図で右側の平板に固定接点９０ｊを備え、左側の平板に螺合孔８０ｃを備えた構成になっている。  
【００４７】
ケース６９は、図６に示すように、上述した固定接点６３Ａ、６３Ｂ、６７Ａ、６７Ｂを備えた第１〜第４の端子６２Ａ、６２Ｂ、６８Ａ、６８Ｂを配置固定し、かつ可動接点６４ａ、６４ｂを備えたアクチュエータ６１を収容して直線状に動かすもので、絶縁性樹脂で形成され上部を開口にした箱状に形成され、その内部は、第１〜第４の端子６２Ａ、６２Ｂ、６８Ａ、６８Ｂを収納することができる４つの部屋が形成されており、第１の端子６２Ａの外部接続端子部９０ｂを外側に配置する支持壁９１ａを備え、長手方向の内壁９２ａとこの支持壁９１ａと、中央から内側方向に突出形成されているストッパ部材５９を係合するストッパーガイド９３ｂ、ストッパーガイド９３ｂの延長位置で中央に設けた線条の凸部を形成するアクチュエータガイド９３ａとで挟まれた空間が第１の部屋９４を形成する。この第１の部屋９４とアクチュエータガイド９３ａを超えた隣接する位置が同じく長手方向の内壁９２ｂと、支持壁９１ｂ、アクチュエータガイド９３ａで挟まれた空間に第２の部屋９５を形成する。
【００４８】
そして、第１の部屋９４と対向する位置で、第１の端子６２Ａの外部接続端子部９０ｂを外側に向け、アクチュエータガイド９３ａと内壁９２ａとで挟まれた空間が第３の部屋９６を形成する。
更に、第２の部屋９５と対向する位置で、第２の端子６２Ｂの外部接続端子部９０ｂを外側に向け、アクチュエータガイド９３ａと内壁９２ｂとで挟まれた空間に第４の部屋９７を形成する。
【００４９】
このような構成からなるケース６９に第１〜第４の端子６２Ａ、６２Ｂ、６８Ａ、６８Ｂを係合固定するには、先ず、図７に示すように、第３の端子６８Ａを第３及び第４の部屋９６、９７に収容する。即ち、第３の端子６８Ａの切り欠いた溝にストッパーガイド９３ｂを挟み込むようにして底部まで押し込むことで固定接点６３Ａ、６３Ｂが部屋と水平方向になるように配置され、補助接点摺動板部８１Ａ、８１Ｂが部屋と鉛直方向になるように配置される。
【００５０】
次に、図８に示すように、第１の端子６２Ａを第１及び第３の部屋９４、９６に収容する。即ち、第１の端子６２Ａの外部接続端子部９０ｂを支持壁９１ａのスリットに係合させ、係合板部９０ｄを内壁９２ａのスリットに係合させて押し込むことで固定接点６７Ａが内側を向いた状態で部屋と水平方向になるように配置される。補助接点摺動板部８２Ａは第３の部屋９６の底部に部屋と鉛直方向になるように配置される。
【００５１】
更に、第２の端子６２Ｂを第２及び第４の部屋９５、９７に収容する。即ち、第２の端子６２Ｂの外部接続端子部９０ｂを支持壁９１ｂのスリットに係合させ、係合板部９０ｄを内壁９２ｂのスリットに係合させて押し込むことで固定接点６７Ｂが内側を向いた状態で部屋と水平方向になるように配置される。補助接点摺動板部８２Ｂは第４の部屋９７の底部に部屋と鉛直方向になるように配置される。
【００５２】
次に、図８に示すように、第４の端子６８Ｂを第３及び第４の部屋９６、９７に収容する。即ち、ケースの側壁面に設けたスリットに板状の第４の端子６８Ｂを係合させて押し込むことで固定接点９０ｊが内側を向いた状態で配置固定される。
【００５３】
このようにして４つの第１〜第４の端子６２Ａ、６２Ｂ、６８Ａ、６８Ｂをケース６９内に収納固定することにより、固定接点６３Ａ、６３Ｂ、６７Ａ、６７Ｂが同一方向を向いた状態で配置され、且つ補助接点が摺動する補助接点摺動板部８１Ａ、８１Ｂ、８２Ａ、８２Ｂをケース６９の底面に配置され、固定接点９０ｊが固定接点６３Ｂ側に向いた状態で配置される。
この状態で、アクチュエータをケース６９の開口部から入れることにより可動接点が固定接点に対峙した状態で配置され、且つ補助接点が補助接点摺動板部の上部に接触した状態で配置され、アクチュエータの可動接点が第４の端子６８Ｂの固定接点９０ｊに接触した状態で配置される。
ここで、第１の端子６２Ａの螺合孔８０ａ、第２の端子６２Ｂの螺合孔８０ｂ、第４の端子６８Ｂの螺合孔８０ｃのそれぞれは、図８に示す点線の如く、モータＭ、電源ＡＣに電線を介在させて接続されている。
【００５４】
可動接点６４ａ、６４ｂと固定接点６３Ａと６７Ａ、６３Ｂと６７Ｂとの接触は上記プランジャー５４、反転部材５８、アクチュエータ６１等の連携動作からなるスイッチの接触機構により遅入速断で行われ、補助可動接点と補助固定接点との接触は、可動接点と固定接点が接触しているときにのみ接触になり、可動接点と固定接点が非接触になっているときには非接触の状態となる。
【００５５】
以下、本発明に係る上記スイッチの接触機構の動作を図９〜図１１、図１２〜図１６を参照しながら説明する。
【００５６】
ここで、図９に示す回路図は固定接点と可動接点での接点状態に加えて、補助接点の接点状態を回路図として示したもので、直列２連のメイン接点と、補助接点にブレーキ接点を設けたことが特徴となっている。
詳しく説明すると、直列２連のメイン接点が第１の端子６２Ａの固定接点６７Ａ、第３の端子６８Ａの固定接点６３Ａにアクチュエータ６１の可動接片６５ａの可動接点６４ａ、６４ｂ及び第２の端子６８Ａの固定接点６７Ｂ、第３の端子６８Ａの固定接点６３Ｂにアクチュエータ６１の可動接片６５ｂの可動接点６４ａ、６４ｂが相当し、単一のブレーキ接点が第２の端子６２Ｂ上を摺動する第２補助接点部８３Ｂの可動接点８３ｅに第４の端子６８Ｂの固定接点９０ｊが相当する。
【００５７】
このような回路構成からなる回路図において、先ず、操作部が操作されていないときには第４の端子６８Ｂの固定接点９０ｊに第２補助接点部８３Ｂの可動接点８３ｅが接触してモータＭを短絡状態にしてブレーキをかけた状態を維持する。操作部を引き込むと、アクチュエータが動き、第１補助接点部８３Ａ及び第２補助接点部８３Ｂも摺動して動き、特に第２補助接点部８３Ｂが摺動して動くことにより可動接点８３ｅが固定接点９０ｊとの接触状態から離れ、モータＭの短絡状態を解除する。
【００５８】
次に、更に操作部を引き込むと、図１０に示すように、第１の端子６２Ａの固定接点６７Ａ、第３の端子６８Ａの固定接点６３Ａに可動切片６５ａの可動接点６４ａ、６４ｂが接触し、第３の端子６８Ａの固定接点６３Ｂ、第２の端子６２Ｂの固定接点６７Ｂに可動切片６５ｂの可動接点６４ａ、６４ｂが接触する。このとき、補助接点である第１補助接点部８３Ａ及び第２補助接点部８３Ｂは補助接点摺動板部８２Ａ、８２Ｂの途中まで摺動し、補助接点摺動板部８１Ａ、８１Ｂまでは到達しない。即ち、この時点で、接点が接触するため直列２連のメイン接点がオン状態となりモータＭに電源が供給され、モータＭは回転できる。
【００５９】
そして、更に操作部を引き込むと、図１１に示すように、直列２連のメイン接点が更にスプリングの付勢力が増した状態での接触状態となり、図示しないでこの状態がロックされる。そして、このとき、第１及び第２補助接点部８３Ａ、８３Ｂが補助接点摺動板部（８１Ａと８２Ａ、８１Ｂと８２Ｂ）を跨いだ状態となり導通状態となり、この補助側からの電源をモータに供給する経路が開通することで、固定接点と可動接点での不安定な接点状態を補助接点側で補うことで、全体として安定した導通状態を得ることができるのである。
【００６０】
更に、この状態で操作部の引き込みを止めると、固定接点と可動接点のオン状態からオフ状態になると共に補助接点も非導通状態になり、最後に第２補助接点部８３Ｂの可動接点８３ｅが固定接点９０ｊに接触してモータＭを短絡状態にしてブレーキをかける。
【００６１】
以上がメイン接点とブレーキ接点での接点動作を説明したが、次に、実際のスイッチ機構の動きについて図１２〜図１６に示す図面を参照して説明する。
【００６２】
図１２において、スイッチが操作されていないＯＦＦの状態のときは、復帰バネ５２のバネ力によりプランジャー５４は矢印Ａの方向に付勢されている。しかし、プランジャー５４の先端部５４ｄはカバー５３の内壁により抑えられているので動くことはできない。この状態で、反転部材５８は反転バネ５７により押圧され反時計方向に付勢され、従って、アクチュエータガイド９３にのっているアクチュエータ６１はＢ方向へ付勢されているがいずれも動くことはできない。このとき、第１補助接点部８３Ａは、第１の端子６２Ａの補助接点摺動板部８２Ａ上に接触した状態を維持して停止している。同じく、一部図示しているが第２補助接点部８３Ｂも、第２の端子６２Ｂの補助接点摺動板部８２Ｂ上に接触した状態を維持して停止している。同時に、第２補助接点部８３Ｂに設けてある可動接点８３ｅが第４の端子６８Ｂに設けてある固定接点９０ｊに接触して電気的に接続した状態となっている。
【００６３】
この状態で、操作部５１を引き込んでＣ方向に動かすと、図１３に示すように、プランジャー５４はＤ方向に引っ張られることにより、反転部材５８の反転バネ５７の上部端に位置する突起５５ａが同じＤ方向（図で右方向）へ引っ張る。そこで反転バネ５７の蓄積エネルギーは反転ポイントに到達する。
【００６４】
反転バネ５７の反転ポイントにおいて反転バネ５７の伸長力により反転部材５８は矢印Ｅ方向に強く回動する。反転部材５８が矢印Ｅの方向（図で左方向）に回動すると、反転部材５８のピニオン５８ｃと噛合しているラック部６１ｃのラック８８が矢印Ｅ方向に水平移動する。その結果、可動接点６４ａ、６４ｂと固定接点６７Ａ、６３Ａとが接触する。このとき、いまだ第１補助接点部８３Ａは第１の端子６２Ａの補助接点摺動板部８２Ａとケース６９の仕切り部分とに接触した状態である。同時に、第２補助接点部８３Ｂに設けてある可動接点８３ｅが第４の端子６８Ｂに設けてある固定接点９０ｊと離れた状態となる。
【００６５】
また、ストッパ部材５９の鉤部５９ａの上部にアクチュエータ６１のロック部８５が載った状態となっているため、固定接点６７Ａ、６３Ａと可動接点６４ａ、６４ｂの接触状態は操作部５１の押し込み操作具合に基づくもので接触状態はロックされていないし、又、接圧バネ６６ａによる可動接点６４ａ、６４ｂの付勢力は常時の付勢力である。
【００６６】
更に、操作部５１が押し込まれると、図１４に示すように、固定接点６７Ａ、６３Ａと可動接点６４ａ、６４ｂが接触した状態でアクチュエータ６１がさらに水平移動することにより、接圧バネ６６ａが圧縮され、固定接点６７Ａ、６３Ａと可動接点６４ａ、６４ｂの接触圧が更に強まる。同時に、第１補助接点部８３Ａが第１の端子６２Ａの補助接点摺動板部８２Ａと第３の端子６８Ａの補助接点摺動板部８１Ａとを跨いだ状態になり接触させる。
【００６７】
又、図示しない第２補助接点部８３Ｂが第２の端子６２Ｂの補助接点摺動板部８２Ｂと第３の端子６８Ａの補助接点摺動板部８１Ｂとを跨いだ状態になり接触させる。
このとき固定接点６７Ａ、６３Ａと可動接点６４ａ、６４ｂは接触しているため、補助接点摺動板部８１Ａ、８２Ａの間には電位がないため補助接点にはアークが発生しないため接点荒れも発生しない。
【００６８】
更に、操作部５１が押し込まれると、図１５に示すように、今度は第１補助接点部８３Ａで補助接点摺動板部８２Ａと補助接点摺動板部８１Ａとを接触した状態（同じく、図示しない第２補助接点部８３Ｂで補助接点摺動板部８２Ｂと補助接点摺動板部８１Ｂとを接触した状態）にして、鉤部５９Ｃにロック部８５が嵌まり込んでアクチュエータ６１の水平方向の押す方向の動きをロック状態にすることで、固定接点と可動接点は接圧バネ６６ａによる付勢力を一定状態に維持してロックされた状態の接触を維持することができる。
【００６９】
更に、操作部５１を押し込んでフルストロークの場合には、図１６に示すように、アクチュエータ６１が水平方向に動いて鉤部５９Ｃとロック部８５の状態は少々移動するが、ロック状態は維持された状態であり、固定接点６７Ａ、６３Ａと可動接点６４ａ、６４ｂの接触状態は維持され、且つ第１補助接点部８３Ａ及び第２補助接点部８３Ｂの接触状態も維持された状態を保持する。
このようにして、操作部５１がオンされた状態が維持されると、固定接点６７Ａ、６３Ａと可動接点６４ａ、６４ｂがロックされた状態が維持され且つ第１補助接点部８３Ａが補助接点摺動板部８１Ａ、８２Ａを跨いだ状態（同じく、第２補助接点部８３Ｂが補助接点摺動板部８１Ｂ、８２Ｂを跨いだ状態）で電気的に接触した状態を維持することができるのである。
【００７０】
さて、操作部５１を押し込んでフルストロークの状態から手の押し込んでいる状態を緩めて操作部５１を離す方向に動かすと、操作部５１に設けてある復帰バネ５２の復帰により操作部が元の状態に戻ろうとし、プランジャー５４の先端部５４ｄが図において左方向に動きストッパー部５９の頂部の傾斜面５９ｂを押す。そうすると、ストッパ部５９の鉤部５９ｃとロックされているロック部８５が外れ、接圧バネ６６ａ、６６ｂの復帰力及び反転バネ５７の反転力により固定接点６７Ａ、６３Ａと可動接点６４ａ、６４ｂの接点状態が外れる方向に動く。この状態のときに更に操作部５１が元の状態に戻るとプランジャー５４に引っ張られて反転部材５８が元の状態に回動反転することで固定接点６７Ａ、６３Ａと可動接点が離反する。
【００７１】
但し、可動接点６４ａ、６４ｂと固定接点６７Ａ、６３Ａが離れる前に、第１補助接点８３Ａは摺動板部８１Ａ、８２Ａを跨いだ電気的に接触している状態からアクチュエーター６１が動くことで第１補助接点部８３Ａが動き接触しなくなるため、補助接点摺動板部８１Ａ、８２Ａの間には電位がないため第１補助接点部８３Ａにはアークが発生しないため、接点荒れも発生しない。
【００７２】
同じく、第２補助接点部８３Ｂも摺動板部８１Ｂ、８２Ｂを跨いだ電気的に接触している状態からアクチュエーター６１が動くことで第２補助接点部８３Ｂが動き接触しなくなるため、補助接点摺動板部８１Ｂ、８２Ｂの間には電位がないため第２補助接点部８３Ｂにはアークが発生しない
【００７３】
以上、操作部５１を操作することで固定接点６７Ａ、６３Ａと可動接点６４ａ、６４ｂを接触させ、且つ第１補助接点部８３Ａ及び第２補助接点部８３Ｂを接触させることを時系列に説明したが、第２補助接点部８３Ｂに補助可動接点８３ｅを加えたこと以外のスイッチの接続機構は従来技術で説明したものと同様であるので説明不足のものはそちらの説明したもので補充することができる。
【００７４】
図１７に示すものは、本願発明のトリガースイッチ５０を備えた電動工具を示したもので、片手の把持する位置にトリガースイッチ５０を収納し、外部からＡＣ電圧を供給するようにし、トリガースイッチ５０を操作することでモータＭを回転させ、変速ギヤＧを通じて回転させる。
【産業上の利用可能性】
【００７５】
補助接点に可動接点を備え、モータを短絡状態にする固定接点に操作部を引き離したときに、可動接点を接触させるようにして、モータにブレーキをかけるようにしたことで、直列２連のメイン接点を２極で使用することが可能で、その分高容量、高寿命のトリガースイッチを提供する。
【図面の簡単な説明】
【００７６】
【図１】本発明に係るトリガースイッチの一実施例の分解斜視図である。
【図２】同、トリガースイッチの横一部断面図である。
【図３】同、トリガースイッチの横一部断面図である。
【図４】同、トリガースイッチを構成する一部のアクチュエータの斜視図である。
【図５】同、トリガースイッチを構成する一部のアクチュエータの斜視図である。
【図６】同、トリガースイッチを構成する一部のケースの斜視図である。
【図７】同、トリガースイッチを構成するケースに端子を収納する様子を示した説明図である。
【図８】同、トリガースイッチを構成するケースに端子を収納する様子を示した説明図である。
【図９】同、トリガースイッチを構成する固定接点、可動接点、補助接点の接点状態を示す略示的に示した回路図で、操作部を引き込んでいないときの接点状態を示したものである。
【図１０】同、トリガースイッチを構成する固定接点、可動接点、補助接点の接点状態を示す略示的に示した回路図で、操作部を引き込んで固定接点と可動接点が接触したときの接点状態を示したものである。
【図１１】同、トリガースイッチを構成する固定接点、可動接点、補助接点の接点状態を示す略示的に示した回路図で、操作部を更に引き込んで固定接点と可動接点が接触した状態で補助接点が接触したときの接点状態を示したものである。
【図１２】同、操作部がＯＦＦ時のスイッチの状態を示した説明図である。
【図１３】同、操作部を操作して接点が接触したときのスイッチの状態を示した説明図である。
【図１４】同、操作部を操作して接点が接触したときに更に押し込んで補助接点が摺動板部を電気的に接触させた状態を示した説明図である。
【図１５】同、操作部を操作して接点が接触し更に補助接点が接触させて、更に押し込んでストッパーがロックした状態を示す説明図である。
【図１６】同、操作部を操作してフルストロークの状態を示した説明図である。
【図１７】同、トリガースイッチを備えた電動工具を示した説明図である。
【図１８】従来技術におけるトリガースイッチを構成する固定接点、可動接点、補助接点の接点状態を示す略示的に示した回路図である。
【符号の説明】
【００７７】
５０      トリガースイッチ
５１      操作部
５１ａ    穴
５１ｂ    軸受穴
５１ｃ    貫通孔
５１ｄ    突起
５２      復帰バネ
５３      カバー
５３ａ    突起
５３ｂ    突起
５３ｄ    傾斜部
５３ｅ    貫通孔
５４      プランジャー
５４ａ    棒部
５４ｂ    後部ブロック
５４ｃ    台状部材
５４ｄ    先端部
５４ｅ    回転軸
５４ｆ    パッキン
５４ｇ    第１の突起
５５      ガイド板
５５ａ    突起
５５ｂ    開口孔
５６ａ    プレート
５６ｂ    プレート
５７      反転バネ
５８      反転部材
５８ａ    湾曲板
５８ｂ    隔板
５８ｃ    ピニオン
５８ｄ    突起
５９      ストッパ部材
５９ａ    鉤部
６０      ストッパバネ
６１      アクチュエータ
６１ａ    ガイド部
６１ｂ    ガイド部
６１ｃ    ラック部
６１ｄ    補助接点係合部
６１ｅ    補助接点係合部
６２Ａ    第１の端子
６２Ｂ    第２の端子
６３Ａ    固定接点
６３Ｂ    固定接点
６４ａ    可動接点
６４ｂ    可動接点
６５ａ    可動接片
６５ｂ    可動接片
６６ａ    接圧バネ
６６ｂ    接圧バネ
６７Ａ    固定接点
６７Ｂ    固定接点
６８Ａ    第３の端子
６８Ｂ    第４の端子
６９      ケース
６９ａ    爪
８０ａ    螺合孔
８０ｂ    螺合孔
８０ｃ    螺合孔
８１Ａ    補助接点摺動板部
８１Ｂ    補助接点摺動板部
８２Ａ    補助接点摺動板部
８２Ｂ    補助接点摺動板部
８３Ａ    第１補助接点部
８３Ｂ    第２補助接点部
８３ｃ    接触片
８３ｄ    接触片
８３ｅ    可動接点
８４ａ    補助バネ
８４ｂ    補助バネ
８５      ロック部
８６      係合凸部
８７      スライダー
８８      ラック
８９ａ    先端係止部
８９ｂ    先端係止部
９０ｂ    外部接続端子部
９０ｃ    基部
９０ｄ    係合板部
９０ｅ    接点部
９０ｆ    接点部
９０ｇ    平板部
９０ｈ    平板部
９０ｊ    固定接点
９１ａ    支持壁
９１ｂ    支持壁
９２ａ    内壁
９３ａ    アクチュエータガイド
９３ｂ    ストッパーガイド
９４      第１の部屋
９５      第２の部屋
９６      第３の部屋
９７      第４の部屋
【図１】
0005028236.tif 000002
【図２】
0005028236.tif 000003
【図３】
0005028236.tif 000004
【図４】
0005028236.tif 000005
【図５】
0005028236.tif 000006
【図６】
0005028236.tif 000007
【図７】
0005028236.tif 000008
【図８】
0005028236.tif 000009
【図９】
0005028236.tif 000010
【図１０】
0005028236.tif 000011
【図１１】
0005028236.tif 000012
【図１２】
0005028236.tif 000013
【図１３】
0005028236.tif 000014
【図１４】
0005028236.tif 000015
【図１５】
0005028236.tif 000016
【図１６】
0005028236.tif 000017
【図１７】
0005028236.tif 000018
【図１８】
0005028236.tif 000019